(57)【要約】【課題】本発明は、保護カバーによる証紙の保護を可能としながらも、遊技機の製造工程の自由度の向上を図ることができる遊技機を提供することを目的とする【解決手段】遊技機１００は、遊技盤１０８を保持する内枠１０４に設けられ、所定の情報を表示する製造番号シールが貼付されるシール貼付部４１０と、シール貼付部４１０に対し開閉可能に設けられ、シール貼付部４１０を視認可能に覆うカバー部材４５０と、を備えることを特徴とする。【選択図】図７
2018033534.tif 000002
【特許請求の範囲】
【請求項１】
遊技盤を保持する枠部材に設けられ、所定の情報を表示する証紙が貼付される貼付部と、
前記貼付部に対し開閉可能に設けられ、前記貼付部を視認可能に覆うカバー部材と、
を備えることを特徴とする遊技機。
【請求項２】
前記カバー部材は、閉状態である場合に前記貼付部と対向する面と前記枠部材との間に隙間を生じさせる切欠き部を有すること
を特徴とする請求項１記載の遊技機。
【請求項３】
前記貼付部に隣接し、閉状態の前記カバー部材よりも突出して設けられた所定部材を備え、
前記切欠き部は、前記カバー部材の側壁のうちの前記所定部材から相対的に遠い位置に設けられていること
を特徴とする請求項１または２記載の遊技機。
【発明の詳細な説明】
【技術分野】
【０００１】
本発明は、弾球遊技機（パチンコ機）に代表される遊技機に関する。
【背景技術】
【０００２】
従来、メーカー名や製造番号等の付された証紙が貼着される付着部材（プレート）を覆う被覆部材（保護カバー）を備える遊技機が知られている（例えば、特許文献１）。
【先行技術文献】
【特許文献】
【０００３】
【特許文献１】特開２０１２−００５９０６号公報
【発明の概要】
【発明が解決しようとする課題】
【０００４】
しかしながら、従来の遊技機は、保護カバーによる証紙の保護が可能であるものの、遊技機の製造時においてプレートに証紙を張り付ける工程の後に保護カバーを取り付ける工程を実行しなければならず、製造工程の自由度が低減されるという問題を有している。
【０００５】
本発明の目的は、保護カバーによる証紙の保護を可能としながらも、製造工程の自由度の向上を図ることができる遊技機を提供することにある。
【課題を解決するための手段】
【０００６】
上記目的を達成するために、本発明の一態様による遊技機は、遊技盤を保持する枠部材に設けられ、所定の情報を表示する証紙が貼付される貼付部と、前記貼付部に対し開閉可能に設けられ、前記貼付部を視認可能に覆うカバー部材と、を備えることを特徴とする。
【発明の効果】
【０００７】
本発明の一態様によれば、保護カバーによる証紙の保護を可能としながらも、製造工程の自由度の向上を図ることができる。
【図面の簡単な説明】
【０００８】
【図１】扉が開放された状態を示す遊技機の斜視図である。
【図２】遊技機の正面図である。
【図３】遊技機の裏面図である。
【図４】遊技機のブロック図である。
【図５】シール貼付部の構成を示す図である。
【図６】カバー部材の構成を示す図である。
【図７】図７（ａ）はカバー部材が開状態であるときのシール貼付領域を示す図であり、図７（ｂ）はカバー部材が閉状態であるときのシール貼付領域を示す図である。
【発明を実施するための形態】
【０００９】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１０】
本発明の一実施形態による遊技機の機械的構成および電気的構成について図１から図７を用いて説明する。
【００１１】
図１は、本実施形態の遊技機１００の斜視図であり、扉が開放された状態を示している。図示のように、遊技機１００は、略矩形状に組まれた四辺によって囲繞空間が形成される外枠１０２と、この外枠１０２にヒンジ機構によって開閉自在に取り付けられた内枠（枠部材の一例）１０４と、この内枠１０４に、ヒンジ機構によって開閉自在に取り付けられた前枠１０６と、を備えている。
【００１２】
内枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら内枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１３】
図２は、遊技機１００の正面図である。この図に示すように、前枠１０６の下部には、遊技機１００の正面側に突出する操作ハンドル１１２が設けられている。この操作ハンドル１１２は、遊技者が回転操作可能に設けられており、遊技者が操作ハンドル１１２を回転させて発射操作を行うと、当該操作ハンドル１１２の回転角度に応じた強度で、不図示の発射機構によって遊技球が発射される。このようにして発射された遊技球は、遊技盤１０８に設けられたレール１１４ａ、１１４ｂ間を上昇して遊技領域１１６に導かれることとなる。
【００１４】
遊技領域１１６は、遊技盤１０８と透過板１１０との間隔に形成される空間であって、遊技球が流下または転動可能な領域である。遊技盤１０８には、多数の釘や風車（いずれも不図示）が設けられており、遊技領域１１６に導かれた遊技球が釘や風車に衝突して、不規則な方向に流下、転動するようにしている。
【００１５】
遊技領域１１６は、発射機構の発射強度に応じて遊技球の進入度合いを互いに異にする第１遊技領域１１６ａおよび第２遊技領域１１６ｂを備えている。第１遊技領域１１６ａは、遊技機１００に正対した遊技者から見て遊技領域１１６の左側に位置し、第２遊技領域１１６ｂは、遊技機１００に正対した遊技者から見て遊技領域１１６の右側に位置している。レール１１４ａ、１１４ｂが遊技領域１１６の左側にあることから、発射機構によって所定の強度未満の発射強度で発射された遊技球は第１遊技領域１１６ａに進入し、所定の強度以上の発射強度で発射された遊技球は第２遊技領域１１６ｂに進入することとなる。
【００１６】
また、遊技領域１１６には、遊技球が入球可能な一般入賞口１１８、第１始動口１２０、第２始動口（不図示）および大入賞口（不図示）が設けられている。大入賞口は、第２遊技領域１１６ｂの中央付近に位置する領域Ａ１に設けられ、第２始動口は領域Ａ１よりも下方に位置する領域Ａ２に設けられている。これら一般入賞口１１８、第１始動口１２０、第２始動口に遊技球が入球すると、それぞれ所定の賞球が遊技者に払い出される。遊技球の入球に基づいて払い出される賞球数は、入賞口ごとに異なっていてもよい。
【００１７】
なお、詳しくは後述するが、第１始動口１２０内には第１始動領域が設けられ、また、第２始動口内には第２始動領域が設けられている。そして、第１始動口１２０または第２始動口に遊技球が入球して第１始動領域または第２始動領域に遊技球が進入すると、予め設けられた複数の特別図柄の中からいずれか１の特別図柄を決定するための抽選が行われる。各特別図柄には、遊技者にとって有利な大役遊技の実行可否や、以後の遊技状態をどのような遊技状態にするかといった種々の遊技利益が対応付けられている。したがって、遊技者は、第１始動口１２０または第２始動口に遊技球が入球すると、所定の賞球を獲得するのと同時に、種々の遊技利益を受ける権利獲得の機会を獲得することとなる。
【００１８】
また、第２始動口には、可動片が開閉可能に設けられており、この可動片の状態に応じて、第２始動口への遊技球の進入容易性が変化するようになっている。具体的には、可動片が閉状態にあるときには、第２始動口への遊技球の入球が不可能となっている。これに対して、遊技領域１１６に設けられたゲート１２４内の進入領域を遊技球が通過すると、普通図柄の抽選が行われ、この抽選によって当たりに当選すると、可動片が所定時間、開状態に制御される。このように、可動片が開状態になると、当該可動片が遊技球を第２始動口に導く受け皿として機能し、第２始動口への遊技球の入球が容易となる。なお、ここでは、第２始動口が閉状態にあるときに、当該第２始動口への遊技球の入球が不可能であることとしたが、第２始動口が閉状態にある場合にも一定の頻度で遊技球が入球可能となるように構成してもよい。
【００１９】
さらに、遊技領域１１６には、遊技球が入球可能な大入賞口が設けられている。この大入賞口には、開閉扉が開閉可能に設けられており、通常、開閉扉が大入賞口を閉鎖して、大入賞口への遊技球の入球が不可能となっている。これに対して、前述の大役遊技が実行されると、開閉扉が開放されて、大入賞口への遊技球の入球が可能となる。そして、大入賞口に遊技球が入球すると、所定の賞球が遊技者に払い出される。複数の大入賞口が設けられている場合、遊技球の入球に基づいて払い出される賞球数は、大入賞口ごとに異なっていてもよい。
【００２０】
第１遊技領域１１６ａの下部および第２遊技領域１１６ｂの下部には、遊技球を遊技領域１１６から遊技盤１０８の背面側に排出する排出口１３０が設けられている。また、図
２では図示を省略するが、遊技領域１１６の最下部の中心部にも排出口が設けられている。これらの複数の排出口により、一般入賞口１１８、第１始動口１２０、第２始動口、大入賞口のいずれにも入球しなかった遊技球が遊技領域１１６から遊技盤１０８の背面側に排出される。
【００２１】
そして、遊技盤１０８には、遊技の進行中等に演出を行う演出装置として、液晶表示装置からなる演出表示装置２００、可動装置からなる演出役物装置２０２、さまざまな点灯態様や発光色に制御されるランプからなる演出照明装置２０４、スピーカからなる音声出力装置２０６、遊技者の操作を受け付ける演出操作装置２０８が設けられている。
【００２２】
演出表示装置２００は、画像を表示する画像表示部からなる演出表示部２００ａを備えており、この演出表示部２００ａを、遊技盤１０８の略中央部分において、遊技機１００の正面側から視認可能に配置している。この演出表示部２００ａには、図示のように演出図柄２１０ａ、２１０ｂ、２１０ｃが変動表示され、これら各演出図柄２１０ａ、２１０ｂ、２１０ｃの停止表示態様によって大役抽選結果が遊技者に報知される変動演出が実行されることとなる。
【００２３】
演出役物装置２０２は、演出表示部２００ａよりも前面に配置され、通常、遊技盤１０８の背面側に退避しているが、上記の演出図柄２１０ａ、２１０ｂ、２１０ｃの変動表示中などに、演出表示部２００ａの前面まで可動して、遊技者に大当たりの期待感を付与するものである。
【００２４】
演出照明装置２０４は、演出役物装置２０２や遊技盤１０８等に設けられており、演出表示部２００ａに表示される画像等に合わせて、さまざまに点灯制御される。
【００２５】
音声出力装置２０６は、前枠１０６の上部位置や外枠１０２の最下部位置に設けられ、演出表示部２００ａに表示される画像等に合わせて、遊技機１００の正面側に向けてさまざまな音声を出力する。
【００２６】
演出操作装置２０８は、遊技者の押下操作を受け付けるボタンとレバーとで構成され、遊技機１００の幅方向略中央位置であって、かつ、透過板１１０（図１参照）よりも下方位置に設けられている。この演出操作装置２０８は、演出表示部２００ａに表示される画像等に合わせて有効化されるものであり、操作有効時間内に遊技者の操作を受け付けると、当該操作に応じて、さまざまな演出が実行される。
【００２７】
演出操作装置２０８の後ろ側（遊技盤１０８側）には、遊技機１００から払い出される賞球や、遊技球貸出装置から貸し出される遊技球が導かれる上皿(不図示)が設けられており、この上皿が遊技球で一杯になると、遊技球は下皿１３４に導かれることとなる。また、この下皿１３４の底面には、当該下皿１３４から遊技球を排出するための球抜き孔（不図示）が形成されている。この球抜き孔は、通常、開閉板（不図示）によって閉じられているが、球抜きつまみ１３４ａを図中左右方向にスライドさせることにより、当該球抜きつまみ１３４ａと一体となって開閉板がスライドし、球抜き孔から下皿１３４の下方に遊技球を排出することが可能となっている。
【００２８】
また、遊技盤１０８には、遊技領域１１６の外方であって、かつ、遊技者が視認可能な位置に、各種表示器（ＬＥＤ）を設置するための表示器設置領域６００が設けられている。表示器設置領域６００には、後述する第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が設けられている。これら各表示器１６０〜１７２は、遊技に係る種々の状況を表示するための装置である。
【００２９】
（遊技機裏面の構成）
図３は、遊技機１００の裏面図である。遊技機１００の裏面側には、主制御基板ケース１０３、遊技情報出力端子板３１２、賞球貯留タンク３１５、賞球払出流路３１７、払出球計数スイッチ３１６ｓ、裏カバー３３１、払出制御基板ケース３１３、シール貼付領域４００等が設けられている。この他に遊技機１００の裏側には、遊技機１００の電源系統や制御系統を構成する各種の電子機器類（図示しない制御コンピュータを含む）、電源プラグを備えた電源コード１０９及び図示しない接続配線等が設置されている。
【００３０】
遊技機１００の裏面側中央には、遊技機１００における遊技の基本動作を制御する主制御基板３００が主制御基板ケース１０３に収容されて配置されている。主制御基板３００については後述する。遊技情報出力端子板３１２は、遊技機１００の外部の電子機器（例えばデータ表示装置、ホールコンピュータ等）に接続されている。遊技機１００の遊技進行状態やメンテナンス状態等を表す各種の外部情報信号（例えば賞球情報、エラー情報、大当たり情報、始動口情報等）は、遊技情報出力端子板３１２から外部の電子機器に向けて出力される
【００３１】
賞球貯留タンク３１５は、図示しない補給経路から補給された遊技球を蓄えることができる。賞球の払出しが行われる際には、賞球貯留タンク３１５に蓄えられた遊技球は、賞球払出流路３１７を通って遊技機１００の前面側の上皿（不図示）に導かれる。払出球計数スイッチ３１６ｓは、賞球払出流路３１７を通って払い出される遊技球数を検出する。
【００３２】
裏カバー３３１は、主に遊技中や待機中等の各演出を制御する副制御基板３３０（図３では不図示、図４参照）を覆うカバー部材である。また、払出制御基板ケース３１３は、遊技球を発射させるための制御、および、賞球を払い出すための制御を行う払出制御基板３１０（図３では不図示、図４参照）が収められたケース部材である。副制御基板３３０及び払出制御基板３１０の詳細は後述する。
【００３３】
電源コード１０９は、例えば遊技店の島設備に設置された電源装置（例えばＡＣ２４Ｖ）に接続される。これにより、遊技機１００の動作に必要な電源（電力）が確保される。
【００３４】
払出制御基板ケース３１３の下部には、遊技機１００を製造したメーカー名や製造番号、機種名等が表示された製造番号シール（証紙の一例）を貼付するための領域としてシール貼付領域４００が設けられている。製造番号シールは、表面に遊技機１００の製造番号等の所定の情報が表示され、裏面に粘着材が塗布されており、遊技機１００の製造工程においてシール貼付領域４００に貼付される。シール貼付領域４００は、製造番号シールを貼付する台座となるシール貼付部４１０と、シール貼付部４１０に対し開閉可能に設けられて、閉状態においてシール貼付部４１０を覆って製造番号シールを保護するカバー部材４５０とで構成されている。払出制御基板ケース３１３は、シール貼付部４１０を覆う閉状態のカバー部材４５０よりも突出して遊技機１００の裏面側に設けられている。より具体的には、払出制御基板ケース３１３は、内枠１０４のシール貼付部４１０が設けられている面すなわちカバー部材４５０が設けられている面から外側へ向かう方向（カバー部材４５０が開く方向）において、閉状態のカバー部材４５０よりも突出して設けられている。なお、シール貼付領域４００の詳細は後述する。
【００３５】
主制御基板ケース１０３および裏カバー３３１と、外枠１０２とを除外した部分が内枠ユニットに該当する。また、内枠ユニットは、内枠１０４と、内枠１０４に取り付けられた遊技情報出力端子板３１２、賞球貯留タンク３１５、賞球払出流路３１７、払出球計数スイッチ３１６ｓ、および払出制御基板ケース３１３とによって構成されている。また、シール貼付領域４００は、内枠１０４に設けられている。
【００３６】
（制御手段の内部構成）
図４は、遊技の進行を制御する制御手段の内部構成を示すブロック図である。
【００３７】
主制御基板３００は遊技の基本動作を制御する。この主制御基板３００は、メインＣＰＵ３００ａ、メインＲＯＭ３００ｂ、メインＲＡＭ３００ｃを備えている。メインＣＰＵ３００ａは、各検出スイッチやタイマからの入力信号に基づいて、メインＲＯＭ３００ｂに格納されたプログラムを読み出して演算処理を行うとともに、各装置や表示器を直接制御したり、あるいは演算処理の結果に応じて他の基板にコマンドを送信したりする。メインＲＡＭ３００ｃは、メインＣＰＵ３００ａの演算処理時におけるデータのワークエリアとして機能する。
【００３８】
上記主制御基板３００には、一般入賞口１１８に遊技球が入球したことを検出する一般入賞口検出スイッチ１１８ｓ、第１始動口１２０に遊技球が入球したことを検出する第１始動口検出スイッチ１２０ｓ、第２始動口に遊技球が入球したことを検出する第２始動口検出スイッチ１２２ｓ、ゲート１２４を遊技球が通過したことを検出するゲート検出スイッチ１２４ｓ、大入賞口に遊技球が入球したことを検出する大入賞口検出スイッチ１２８ｓが接続されており、これら各検出スイッチから主制御基板３００に検出信号が入力されるようになっている。
【００３９】
また、主制御基板３００には、第２始動口の可動片を作動する普通電動役物ソレノイド１２２ｃと、大入賞口を開閉する開閉扉１２８ｂを作動する大入賞口ソレノイド１２８ｃと、が接続されており、主制御基板３００によって、第２始動口および大入賞口の開閉制御がなされるようになっている。
【００４０】
さらに、主制御基板３００には、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が接続されており、主制御基板３００によって、これら各表示器の表示制御がなされるようになっている。
【００４１】
また、本実施形態の遊技機１００が実行する遊技は、主に第１始動口１２０または第２始動口への遊技球の入球によって開始される特別遊技と、ゲート１２４を遊技球が通過することによって開始される普通遊技とに大別される。そして、主制御基板３００のメインＲＯＭ３００ｂには、特別遊技および普通遊技を進行するための種々のプログラムや、各種の遊技に必要なデータ、テーブルが記憶されている。
【００４２】
また、主制御基板３００には、払出制御基板３１０および副制御基板３３０が接続されている。
【００４３】
払出制御基板３１０も、ＣＰＵ、ＲＯＭ、ＲＡＭを備えており、主制御基板３００に対して双方向に通信可能に接続されている。この払出制御基板３１０には遊技情報出力端子板３１２が接続されており、主制御基板３００から出力される遊技進行上の種々の情報が、払出制御基板３１０および遊技情報出力端子板３１２を介して、遊技店のホールコンピュータ等に出力されることとなる。
【００４４】
また、払出制御基板３１０には、賞球貯留タンク３１５（図３参照）に貯留された遊技球を賞球として遊技者に払い出すための払出モータ３１４が接続されている。払出制御基板３１０は、主制御基板３００から送信された払出個数指定コマンドに基づいて払出モータ３１４を制御して所定の賞球を遊技者に払い出すように制御する。このとき、払い出された遊技球数が払出球計数スイッチ３１６ｓによって検出され、払い出すべき賞球が遊技者に払い出されたかが把握されるようになっている。
【００４５】
また、払出制御基板３１０には、下皿１３４の満タン状態を検出する皿満タン検出スイッチ３１８ｓが接続されている。この皿満タン検出スイッチ３１８ｓは、賞球として払い出される遊技球を下皿１３４に導く通路に設けられており、当該通路を遊技球が通過するたびに、遊技球検出信号が払出制御基板３１０に入力されるようになっている。
【００４６】
そして、下皿１３４に所定量以上の遊技球が貯留されて満タン状態になると、下皿１３４に向かう通路内に遊技球が滞留し、皿満タン検出スイッチ３１８ｓから払出制御基板３１０に向けて、遊技球検出信号が連続的に入力される。払出制御基板３１０は、遊技球検出信号が所定時間連続して入力された場合に、下皿１３４が満タン状態であると判断し、皿満タンコマンドを主制御基板３００に送信する。一方、皿満タンコマンドを送信した後、遊技球検出信号の連続入力が途絶えた場合には、満タン状態が解除されたと判断し、皿満タン解除コマンドを主制御基板３００に送信する。
【００４７】
また、払出制御基板３１０には、発射制御基板３２０が双方向に通信可能に接続されている。この発射制御基板３２０は、払出制御基板３１０から発射制御データを受信すると発射の許可を行う。この発射制御基板３２０には、操作ハンドル１１２に設けられ、当該操作ハンドル１１２に遊技者が触れたことを検出するタッチセンサ１１２ｓと、操作ハンドル１１２の操作角度を検出する操作ボリューム１１２ａと、が接続されている。そして、タッチセンサ１１２ｓおよび操作ボリューム１１２ａから信号が入力されると、発射制御基板３２０において、遊技球発射装置に設けられた発射用ソレノイド１１２ｃを通電して遊技球を発射させる制御がなされる。
【００４８】
副制御基板３３０は、サブＣＰＵ３３０ａ、サブＲＯＭ３３０ｂ、サブＲＡＭ３３０ｃを備えており、主制御基板３００に対して、当該主制御基板３００から副制御基板３３０への一方向に通信可能に接続されている。サブＣＰＵ３３０ａは、主制御基板３００から送信されたコマンドやタイマからの入力信号等に基づいて、サブＲＯＭ３３０ｂに格納されたプログラムを読み出して演算処理を行うとともに、演出を実行するためのコマンドを、画像制御基板３４０または電飾制御基板３５０に送信する。このとき、サブＲＡＭ３３０ｃは、サブＣＰＵ３３０ａの演算処理時におけるデータのワークエリアとして機能する。
【００４９】
画像制御基板３４０は、上記演出表示部２００ａに画像を表示させる画像表示制御を行うものであり、ＣＰＵ、ＣＧＲＯＭ、ＲＡＭ、ＶＲＡＭを備えている。この画像制御基板３４０のＣＧＲＯＭには、演出表示部２００ａに表示される図柄や背景等の画像データが多数格納されており、副制御基板３３０から送信されたコマンドに基づいて、演出表示部２００ａの画像表示を制御する。
【００５０】
電飾制御基板３５０は、副制御基板３３０から送信されたコマンドに基づいて、音声出力装置２０６から音声を出力させる音声出力制御を行う。また、電飾制御基板３５０は、副制御基板３３０から送信されるコマンドに基づいて、演出役物装置２０２を可動したり演出照明装置２０４を点灯制御したりする。さらには、演出操作装置２０８が操作されたことを検出する演出操作装置検出スイッチ２０８ｓから操作検出信号が入力された際に、所定のコマンドを副制御基板３３０に送信する。
【００５１】
なお、各基板には、不図示の電源基板が接続されており、電源基板を介して商用電源から各基板に電力供給がなされている。また、電源基板にはコンデンサからなるバックアップ電源が設けられている。
【００５２】
（シール貼付領域の構成）
ここで、図５から図７を用いてシール貼付領域４００の構成について具体的に説明する。図５は、カバー部材４５０を取り外した状態のシール貼付領域４００を示す図である。図６は、シール貼付領域４００に設けられるカバー部材４５０の構成を示す図である。図７は、図３に示すシール貼付領域４００を拡大して示す図である。図７（ａ）は、シール貼付領域４００においてカバー部材４５０が開状態であってシール貼付部４１０が露出している状態を示す図である。また、図７（ｂ）は、シール貼付領域４００においてカバー部材４５０が閉状態であってシール貼付部４１０がカバー部材４５０に覆われている状態を示す図である。なお、図５および図７では、製造番号シールの図示は省略されている。
【００５３】
図５に示すように、シール貼付領域４００に設けられたシール貼付部４１０は、遊技機１００の裏面側から見て、長方形状を有している。シール貼付部４１０は、内枠１０４の裏面（すなわち遊技機１００の裏面）側に向かって若干隆起した薄板形状を有している。シール貼付部４１０の上面４１１は、長方形形状の平面を有している。製造番号シールは、上面４１１の平面部分に貼付される。すなわち、上面４１１はシール貼付面として用いられる。
【００５４】
シール貼付部４１０の左短辺側には、カバー部材４５０（詳細は後述する）を取り付けるための取付部４２０が設けられている。取付部４２０は、シール貼付部４１０の短辺とほぼ平行に延在する軸部４２１と、軸部４２１の中央領域に設けられた軸受挿通孔４２３とを有している。
軸部４２１は、シール貼付部４１０の短辺とほぼ同じ長さを有している。軸部４２１は、シール貼付部４１０の左側面を形成している。軸部４２１は、シール貼付部４１０の上面４１１では上面４１１から隆起した半円柱形状を有し、後述する軸受挿通孔４２３が設けられた領域αでは円柱形状を有している。
【００５５】
軸受挿通孔４２３は、軸部４２１の中央領域近傍であって軸部４２１よりも遊技機１００の正面側に内枠１０４を貫通して設けられている。軸受挿通孔４２３は、軸部４２１からシール貼付部４１０の右短辺側に向かうシール貼付部４１０の一部の領域と、軸部４２１からシール貼付部４１０と離れていく方向に向かう内枠１０４の一部の領域に設けられている。軸受挿通孔４２３は、軸部４２１に跨って四角形状に形成されている。軸受挿通孔４２３は、シール貼付部４１０の左短辺側の一部の領域を抉るように形成されている。詳細は後述するが、カバー部材４５０は、軸受挿通孔４２３に取り付けられて軸部４２１を回転軸として所定の回転範囲で回転可能に取付部４２０に取り付けられる。
【００５６】
シール貼付部４１０の上面４１１の下側長辺と軸受挿通孔４２３の右下角部との間には、上面４１１から隆起して形成された半円柱形状を有する貼付位置ガイド部４１２が設けられている。貼付位置ガイド部４１２は、上面４１１の下側長辺と直交し、かつ軸部４２１と平行に配置されている。貼付位置ガイド部４１２は、遊技機１００の製造工程の１つである製造番号シールの貼付工程において、シール貼付部４１０の上面４１１に製造番号シールを貼付する際の位置決めに用いられる。貼付位置ガイド部４１２と上面４１１の下側長辺とが直交して形成される角部に整理番号シールの左下角部を合わせることで、シール貼付部４１０からずれたりせずに図５において破線で示すシール貼付位置に整理番号シールを貼付することができる。
【００５７】
内枠１０４の裏面においてシール貼付部４１０の右短辺側には、シール貼付部４１０と隣接してカバー固定部４３０が設けられている。カバー固定部４３０は、内枠１０４を四角形状に開口して形成された孔部４３３と、孔部４３３を画定する内壁面から孔部４３３の空間に向かって突出する２つの爪固定片４３１（４３１ａ，４３１ｂ）とを有する。孔部４３３は、後述するカバー部材４５０が挿入される挿入部を構成している。爪固定片４３１ａ，４３１ｂは、カバー固定部４３０の右側内壁面、すなわちシール貼付部４１０側の内壁面と対向する内壁面に設けられている。また、爪固定片４３１ａ，４３１ｂには、孔部４３３の空間への突出量が遊技機１００の裏面から正面側に向かうにつれて多くなる傾斜形状を有する傾斜面４３５が設けられている。このため、爪固定片４３１ａ，４３１ｂの底面４３７の面積は、上面の面積よりも大きくなる。詳細は後述するが、カバー固定部４３０の孔部４３３にはカバー部材４５０の引掛部４７０（図６参照）が挿入され、引掛部４７０が爪固定片４３１ａ，４３１ｂに引っ掛かることによって、カバー部材４５０が閉状態に維持されるようになっている。
【００５８】
次に、カバー部材４５０について説明する。図６に示すように、取付部４２０に取り付けられるカバー部材４５０は、全体的に長方形薄板形状を有している。カバー部材４５０は、閉状態においてシール貼付部４１０の上面４１１（図５参照）の上方に配置される平板部４５１を有している。平板部４５１は長方形状を有している。カバー部材４５０は、透過性のある樹脂等で形成されている。このため、カバー部材４５０が閉状態であってシール貼付部４１０がカバー部材４５０に覆われている状態においても、シール貼付部４１０に貼付された整理番号シールの表示内容（製造番号等）は視認可能である。なお、カバー部材４５０は、少なくとも平板部４５１が透過性のある樹脂等で形成されていればよい。カバー部材４５０が閉状態に維持されている際に、遊技機１００の裏面側に向けられる平板部４５１の面は表面４５１ａを構成している。また、平板部４５１の表面４５１ａの裏面は、カバー部材４５０が閉状態においてシール貼付部４１０の上面４１１と対向する対向面４５１ｂを構成している。
【００５９】
図６に示すように、平板部４５１の周囲端部には、平板部４５１と一体に形成された側壁部４５４が設けられている。側壁部４５４は、平板部４５１の対向する短辺の１つを除いて設けられている。つまり、側壁部４５４は、平板部４５１の周囲端部のうち、対向する長辺側の端部およびこの対向する長辺に挟まれた対向する短辺のうち一方側の端部の三方に設けられている。平板部４５１に接続されていない側の側壁部４５４の端部は開放端となっている。これにより、カバー部材４５０は、対向面４５１ｂ側が開放された箱形状を有する（図７（ａ）参照）。対向する２つの長辺側の側壁部４５４のうち払出制御基板ケース３１３（図２参照）と隣り合っていない方の側壁部４５４には、側壁部４５４の開放端から対向面４５１ｂへ向かって切り欠かれた切欠き部４５５が設けられている。詳細は後述するが、切欠き部４５５は、遊技機１００を製造する作業者等が指を引っ掛けてカバー部材４５０を閉状態から開状態に移行させるために用いられる。
【００６０】
図６に示すように、側壁部４５４が設けられていない平板部４５１の短辺側には、Ｕ字形状に湾曲する軸受部４５３が設けられている。軸受部４５３は、平板部４５１から飛び出して形成されている。軸受部４５３のＵ字形状部分の内面は、軸部４２１の外表面に倣う形状に形成されている。軸受部４５３は、シール貼付部４１０の軸部４２１が挿通される挿通空間４５６と、軸受部４５３を貫通する孔部４５７と、シール貼付部４１０の軸部４２１（図５参照）が軸受部４５３から外れることを防止する軸留部４５９とを有している。
【００６１】
平板部４５１の長辺の延伸方向における挿通空間４５６の幅は、軸部４２１のα領域（図５参照）の外径より僅かに長く形成されている。また、軸受部４５３のＵ字形状部分の内面は、軸部４２１の外表面に倣う形状に形成されている。これにより、挿通空間４５６に軸部４２１が挿通された状態でカバー部材４５０が軸部４２１を回転軸として回転する際に、カバー部材４５０は円滑に回転することができる。
【００６２】
孔部４５７は、軸受部４５３の湾曲した底部領域から平板部４５１の表面４５１ａ側に向かって伸びる所定領域に設けられている。孔部４５７が設けられることにより、軸受部４５３は挿通空間４５６の幅を広げる方向への力によって弾性変形し易くなる。また、軸受部４５３と軸部４２１とが接触する接触面積は、孔部４５７が設けられていない場合よりも小さくなる。これにより、軸受部４５３が軸部４２１に対して滑らかに摺動する。
【００６３】
軸留部４５９は、平板部４５１に接触していない側の軸受部４５３の端部に形成されている。軸留部４５９は、軸受部４５３の端部から平板部４５１に向かって挿通空間４５６上に突出して設けられている。このため、軸留部４５９は、挿通空間４５６に挿通された軸部４２１を軸受部４５３が湾曲している側に押さえることができるように構成されている。また、軸留部４５９の端部と平板部４５１との間には、軸部４２１のα領域の外形よりも短い長さの間隙が設けられている。これにより、軸受部４５３は、軸部４２１を挿通空間４５６に保持すると、軸留部４５９によって軸部４２１が挿通空間４５６から離脱することを防止できる。
【００６４】
図６に示すように、側壁部４５４が設けられている平板部４５１の短辺側のほぼ中央領域には、平板部４５１の端部から側壁部４５４と同じ方向に延在し板状に形成された引掛部４７０が設けられている。引掛部４７０は、平板部４５１の短辺側に配置された側壁部４５４が途切れた領域に形成されている。引掛部４７０は、平板部４５１の短辺側に配置された側壁部４５４の間に形成されている。引掛部４７０は、側壁部４５４よりも長い長さを有している。このため、カバー部材４５０を平板部４５１の表面４５１ａに平行に見たときに、引掛部４７０の端部は、側壁部４５４の開放端から突出して配置される。
【００６５】
引掛部４７０は、平板部４５１から側壁部４５４と同じ方向に延在する板状部４７２と、平板部４５１に接続された端部とは反対側の板状部４７２の端部に設けられた爪部４７１とを有している。爪部４７１は、平板部４５１側に向けられていない側の板状部４７２の表面（以下、「外側表面」と称する場合がある）から平板部４５１とは反対側に向かって突出して形成されている。爪部４７１は、板状部４７２の端部から板状部４７２の外側表面に亘って三角形状に隆起して設けられている。このため、爪部４７１の端部側の表面は、爪部４７１の端部から平板部４５１の対向面４５１ｂを含む仮想平面側に向かって傾斜する傾斜面４７１ａとなっている。また、爪部４７１の板状部４７２の外側表面側の表面は、対向面４５１ｂを含む仮想平面にほぼ平行な平坦面４７１ｂとなっている。詳細は後述するが、カバー部材４５０が閉状態である場合に、引掛部４７０の爪部４７１がカバー固定部４３０の爪固定片４３１ａ，４３１ｂ（図５参照）に引っ掛かることにより、カバー部材４５０が閉状態に維持される。
【００６６】
図６に示すように、カバー部材４５０は、軸受部４５３が設けられた方向に平板部４５１を抉るようにして形成された２つの開口端４７５（４７５ａ，４７５ｂ）を引掛部４７０と側壁部４５４との間に有している。引掛部４７０は、開口端４７５ａ，４７５ｂが設けられることにより、平板部４５１との接続部が弾性変形しやすくなる。これにより、カバー部材４５０の開閉が容易になる。
【００６７】
次に、カバー部材４５０の取り付け方法および開閉動作について図５及び図６を参照しつつ図７を用いて説明する。
シール貼付領域４００に設けられた取付部４２０にカバー部材４５０を取り付ける場合には、図７（ａ）に示すカバー部材４５０の開状態のように、カバー部材４５０に設けられた軸受部４５３の軸留部４５９側を取付部４２０に向けてカバー部材４５０を配置する。
【００６８】
次に、軸留部４５９が設けられた軸受部４５３の端部を軸受挿通孔４２３の一部の空間であって軸部４２１と上面４１１との間の空間に挿入しながら、軸留部４５９と平板部４５１との間隙（図６参照）から軸受部４５３の挿通空間４５６に軸部４２１を押し込む。軸受部４５３は、弾性を有している。また、軸受部４５３には孔部４５７が設けられているので、軸受部４５３は弾性変形しやすくなっている。さらに、軸留部４５９の端部は傾斜面を有しているため、軸留部４５９と平板部４５１との間隙から軸部４２１を押し込むことがより容易になっている。このため、軸留部４５９と平板部４５１との間隙から軸部４２１を押し込むように力をかけると、この間隙が押し広げられて軸受部４５３の挿通空間４５６に軸部４２１を挿通させることができる。こうして、図７（ａ）に示すように、カバー部材４５０は、開状態で取付部４２０に取り付けられる。また、カバー部材４５０は、通常の開閉動作で取付部４２０から外れることはほとんどないが、軸留部４５９と平板部４５１との間隙を押し広げるように挿通空間４５６に挿通された軸部４２１から軸受部４５３を引き離す方向への力を加えることで、取付部４２０からカバー部材４５０を容易に取り外すことができる。
【００６９】
次に、カバー部材４５０の開閉動作について説明する。まず、カバー部材４５０を図７（ａ）に示す開状態から図７（ｂ）に示す閉状態に移行させる動作について説明する。
カバー部材４５０を取付部４２０に取り付けた後に、平板部４５１がシール貼付部４１０の上面４１１に近づくように軸部４２１を回転軸としてカバー部材４５０を回転させ、引掛部４７０を孔部４３３に挿入しながら、カバー部材４５０をシール貼付部４１０側に押し込む。カバー固定部４３０に設けられた２つの爪固定片４３１ａ，４３１ｂにおいて、爪固定片４３１ａ，４３１ｂの底面の面積は上面の面積より大きくなっている。さらに、上述のとおり、爪固定片４３１ａ，４３１ｂは、孔部４３３の空間への突出量が遊技機１００の裏面から正面側に向かうにつれて多くなる傾斜面４３５を有している。このため、カバー部材４５０をシール貼付部４１０側に押し込む際に爪固定片４３１ａ，４３１ｂの傾斜面４３５には、爪部４７１の傾斜面４７１ａが接触する。爪部４７１の傾斜面４７１ａは、爪固定片４３１ａ，４３１ｂの傾斜面４３５に沿う方向に傾斜している。
【００７０】
このため、孔部４３３に爪部４７１を押し込むと、爪部４７１の傾斜面４７１ａは爪固定片４３１ａ，４３１ｂの傾斜面４３５を滑るように摺動するとともに、板状部４７２は弾性変形して平板部４５１側に僅かに湾曲する。このとき、カバー部材４５０には開口端４７５ａ，４７５ｂが設けられているので、板状部４７２は弾性変形し易くなっている。爪部４７１の全体が爪固定片４３１ａ，４３１ｂに接触しない位置に到達すると、引掛部４７０は爪固定片４３１ａ，４３１ｂから力を受けなくなるため、板状部４７２が弾性変形により湾曲している状態からほぼ直線状の状態に戻る。これにより、平板部４５１の表面４５１ａに直交する方向に見て、爪部４７１の平坦面４７１ｂは爪固定片４３１ａ，４３１ｂに重なる位置に配置される。その結果、爪部４７１が爪固定片４３１ａ，４３１ｂに固定されて、引掛部４７０が孔部４３３に保持される。こうして、図７（ｂ）に示すように、カバー部材４５０がカバー固定部４３０に固定されて遊技機１００の内枠１０４に引っ掛かり、カバー部材４５０は閉状態に維持される。爪固定片４３１ａ，４３１ｂの底面４３７（図５参照）が爪部４７１の平坦面４７１ｂを押さえることで、閉状態であったカバー部材４５０が自重等によって自然と開状態になることが防止される。このため、遊技機１００の製造に携わる作業者や遊技機１００の管理者の意に反してカバー部材４５０が開状態となり、整理番号シールに傷等がついて劣化してしまうことを防ぐことができる。
【００７１】
カバー部材４５０の平板部４５１は、シール貼付部４１０の上面４１１のうちの製造番号シールが貼付される領域よりも一回り大きく形成されている。このため、カバー部材４５０の閉状態において、カバー部材４５０は、平板部４５１および側壁部４５４によってシール貼付部４１０の上面４１１のうちの製造番号シールが貼付される領域を覆って、上面４１１（シール貼付面）に貼付された製造番号シールを保護することができる。また、カバー部材４５０は上述のように透過性を有する素材で形成されているため、カバー部材４５０が閉状態であってもカバー部材４５０の平板部４５１を透してシール貼付部４１０の上面４１１が視認可能である。したがって、カバー部材４５０は、閉状態であっても、上面４１１（シール貼付面）に貼付された製造番号シールに表示されている表示内容を作業者などに十分に視認させることができる。
【００７２】
次に、カバー部材４５０を図７（ｂ）に示す閉状態から図７（ａ）に示す開状態に移行させる動作について説明する。
爪固定片４３１ａ，４３１ｂによる爪部４７１の固定状態を解除してカバー部材４５０を閉状態から開状態に移行する場合には、作業者がカバー部材４５０の切欠き部４５５に指を引っ掛け、カバー部材４５０をシール貼付部４１０と反対方向、すなわち遊技機１００の内枠１０４と反対方向に力をかければよい。本実施形態による遊技機１００において爪部４７１は爪固定片４３１ａ，４３１ｂにより、２点で孔部４３３の空間に保持されている。爪部４７１の平坦面４７１ｂの幅（板状部４７２から平坦面４７１ｂおよび傾斜面４７１ａの境界部までの長さ）は、１．３ミリメートルである。また、カバー部材４５０が閉状態において平坦面４７１ｂと対向する爪固定片４３１ａ，４３１ｂの底面４３７の幅（孔部４３３を画定する内表面から爪固定片４３１ａ，４３１ｂの底面４３７および傾斜面４３５の境界部までの長さ）は、１．２ミリメートルである。このため、カバー部材４５０の閉状態において、爪部４７１の平坦面４７１ｂと爪固定片４３１ａ，４３１ｂの底面４３７とが接触する幅は０．８ミリメートル程度である。その結果、カバー部材４５０は自重で開状態とならない程度の強さで内枠１０４に引っ掛かってはいるものの、作業者は、切欠き部４５５に内枠１０４と反対方向に、所定の器具を用いずに指一本で力を加えることによって、カバー部材４５０を図７（ｂ）に示す閉状態から図７（ａ）に示す開状態に容易に移行させることができる。
【００７３】
カバー部材４５０は、切欠き部４５５を有しているので、図７（ｂ）に示すように、シール貼付部４１０の上面４１１と対向する面であるカバー部材４５０の対向面４５１ｂと内枠１０４の裏面との間に隙間が生じる。このため、例えば製造番号シールの貼付工程においてカバー部材４５０を開状態とするにあたり、作業者がこの隙間に指を掛けてシール貼付部４１０と反対方向に力を加えることで、容易にカバー部材４５０を開放することができる。また、作業者の作業姿勢等によっては、シール貼付領域４００の視認が困難な場合も想定される。この場合も、カバー部材４５０に設けられている切欠き部４５５を手探りで探り当ててシール貼付領域４００の位置を認識し、カバー部材４５０を開閉することができる。また、切欠き部４５５は、カバー部材４５０の側壁部４５４のうちの払出制御基板ケース（所定部材の一例）３１３（図３参照）から相対的に遠い位置に設けられている。例えば、切欠き部４５５は、カバー部材４５０の側壁部４５４のうちの払出制御基板ケース３１３側の側壁部４５４に対向する側（払出制御基板ケース３１３から相対的に遠い位置）の側壁部４５４に設けられている。これにより、カバー部材４５０を開状態とするにあたり、閉状態のカバー部材４５０よりも突出して設けられている払出制御基板ケース３１３に阻まれることなく作業者が切欠き部４５５に指を掛けることができる。したがって、作業者はスムーズにカバー部材４５０を開状態とすることができる。
【００７４】
また、貼付位置ガイド部４１２もシール貼付部４１０の上面４１１から隆起して形成されているため、作業者が手探りで貼付位置ガイド部４１２を探し当て、製造番号シールを貼付することも可能である。
【００７５】
以上説明したように、本実施形態による遊技機１００の内枠１０４には、所定の情報を表示する製造番号シールが貼付されるシール貼付部４１０と、シール貼付部４１０に対し開閉可能に設けられ、シール貼付部４１０を視認可能に覆うカバー部材４５０とが設けられている。カバー部材４５０がシール貼付部４１０に対し開閉可能に設けられていることで、遊技機１００の製造時において作業者が任意のタイミングでシール貼付部４１０に製造番号シールを貼付することができ、かつカバー部材４５０による製造番号シールの保護が可能である。また、作業者が任意のタイミングでシール貼付部４１０に製造番号シールを貼付することができるので、例えば、シール貼付部４１０にカバー部材４５０を取り付ける作業と、シール貼付部４１０に製造番号シールを貼付する作業とを別の作業場で行うことも可能である。このように、遊技機１００は、製造工程の自由度を向上することができる。
【００７６】
また、カバー部材４５０は、閉状態である場合に内枠１０４に引っ掛かる爪部４７１を有している。爪部４７１が、内枠１０４に設けられたカバー固定部４３０の爪固定片４３１ａ，４３１ｂに引っ掛かることで、カバー部材４５０の閉状態を維持することができる。
【００７７】
また、カバー部材４５０は、閉状態である場合にシール貼付部４１０と対向する対向面４５１ｂと内枠１０４との間に隙間を生じさせる切欠き部４５５を有している。これにより、作業者が閉状態であるカバー部材４５０の切欠き部４５５に指を引っ掛けて内枠１０４と反対方向に少しだけ力をかけるだけで、容易にカバー部材４５０を開状態にすることができる。
【００７８】
（変形例）
上記実施形態による遊技機１００は、シール貼付領域４００においてシール貼付部４１０を覆うカバー部材４５０に設けられた切欠き部４５５を有しているが、本発明はこれに限られない。例えば、切欠き部に代えてカバー部材４５０の表面４５１ａが延伸して形成された庇部が設けられていてもよい。庇部が設けられていることで、作業者は庇部に指を引っ掛けてカバー部材４５０を開状態とすることができるので、上記実施形態による遊技機１００と同様の効果が得られる。
【００７９】
また、上記実施形態による遊技機１００は、シール貼付領域４００においてカバー固定部４３０に設けられた２つの爪固定片４３１ａ，４３１ｂを有しているが、本発明はこれに限られない。カバー固定部４３０には、２つの爪固定片４３１ａ，４３１ｂを連結させて形成された１つの爪固定片が設けられていても、上記実施形態による遊技機１００と同様の効果が得られる。
【００８０】
また、上記実施形態による遊技機１００では、シール貼付領域４００において、カバー部材４５０が開閉動作を行う際の回転軸となる軸部４２１がシール貼付部４１０側に設けられ、軸受部４５３がカバー部材４５０側に設けられているが、本発明はこれに限られない。例えば、軸受部がシール貼付部４１０側に設けられ、軸部がカバー部材４５０側に設けられていてもよい。この場合、シール貼付部４１０側に設けられる軸受部およびカバー部材４５０側に設けられる軸部の形状は、図６に示す軸受部４５３および図５に示す軸部４２１の形状に限られず、互いに組み合わされてカバー部材４５０がシール貼付部４１０に対して回転可能となる形状であればよい。これらの場合であっても、上記実施形態による遊技機１００と同様の効果が得られる。
【００８１】
また、上記実施形態では、第１始動口１２０および第２始動口の２つの始動口を設ける場合について説明したが、始動口は１つでもよいし、３つ以上でもよい。なお、第２始動口が閉状態にあるときには、当該第２始動口に遊技球が入球不可能となるように構成したが、第２始動口が閉状態にあるときにも、一定の頻度で遊技球が入球することとしてもよい。
【００８２】
以上、添付図面を参照しながら本発明の好適な実施形態とその変形例について説明したが、本発明はかかる実施形態等に限定されない。当業者であれば、特許請求の範囲に記載された範疇において、各種の変更例または修正例に想到し得ることは明らかであり、それらについても当然に本発明の技術的範囲に属するものと了解される。
【符号の説明】
【００８３】
１００  遊技機
１０４  内枠
１０８  遊技盤
１１６  遊技領域
３００  主制御基板
３１０  払出制御基板
３３０  副制御基板
４００  シール貼付領域
４１０  シール貼付部
４１１  上面
４１２  貼付位置ガイド部
４２０  取付部
４２１  軸部
４２３  軸受挿通孔
４３０  カバー固定部
４３１，４３１ａ，４３１ｂ  爪固定片
４３３  孔部
４３５  傾斜面
４３７  底面
４５０  カバー部材
４５１ａ  表面
４５１ｂ  対向面
４５３  軸受部
４５４  側壁部
４５５  切欠き部
４５６  挿通空間
４５７  孔部
４５９  軸留部
４７０  引掛部
４７１  爪部
４７１ａ  傾斜面
４７１ｂ  平坦面
４７２  板状部
４７５，４７５ａ，４７５ｂ  開口端
６００  表示器設置領域
【図１】
2018033534.tif 000003
【図２】
2018033534.tif 000004
【図３】
2018033534.tif 000005
【図４】
2018033534.tif 000006
【図５】
2018033534.tif 000007
【図６】
2018033534.tif 000008
【図７】
2018033534.tif 000009